(57)【特許請求の範囲】
【請求項１】
車両に対して相対移動自在に設けられるとともに洗浄水を噴射し得る洗浄水噴射ノズルおよび液剤・ワックスなどの液剤を噴射し得る液剤噴射ノズルと、上記各噴射ノズルに洗浄水および液剤の希釈水を供給する水供給配管および上記液剤噴射ノズルに液剤を供給する液剤供給配管とを具備した洗車機であって、
使用する液剤の種類に応じて水の供給量を調節し得るように構成したことを特徴とする洗車機。
【請求項２】
車両に対して相対移動自在に設けられるとともに洗浄水を噴射し得る洗浄水噴射ノズルおよび液剤・ワックスなどの液剤を噴射し得る液剤噴射ノズルと、上記各噴射ノズルに洗浄水および液剤の希釈水を供給する水供給配管および上記液剤噴射ノズルに液剤を供給する液剤供給配管とを具備した洗車機であって、
使用する液剤の種類に応じて水の供給量を調節し得る水量調節部を具備したことを特徴とする洗車機。
【請求項３】
水量調節部を、水供給量の増加を指示する水増量指示部と、この水増量指示部からの指示を入力して所定の水供給配管に設けられた電磁開閉弁の設定開時間を長くする開時間延長部とから構成したことを特徴とする請求項２に記載の洗車機。
【請求項４】
水量調節部を、水供給量の増加を指示する水増量指示部と、この水増量指示部からの指示を入力するとともに、非噴射状態の液剤噴射ノズルに係る水供給配管に設けられた電磁開閉弁を所定時間開く希釈水供給部とから構成したことを特徴とする請求項２に記載の洗車機。
【発明の詳細な説明】
【技術分野】
【０００１】
本発明は、洗車機に関するものである。
【背景技術】
【０００２】
洗車機には、車両の洗浄を行うために幾種類かの噴射ノズルが具備されており、例えば汚れを予備的に落とす予備洗浄噴射ノズル、洗剤を噴射する洗剤噴射ノズル、洗剤を洗い落とすとともに例えばワックスなどを噴射する仕上げ洗浄噴射ノズルなどが具備されており、また洗浄用としては水（以下、洗浄水ともいう）が用いられており、洗剤・ワックスなどの液剤についても、水により希釈されたものが用いられている（例えば、特許文献１参照）。
【特許文献１】特開２００４−２２４０６３
【発明の開示】
【発明が解決しようとする課題】
【０００３】
上記従来の洗車機によると、洗車時には、洗浄水および洗剤・ワックスなどの液剤が所定量用いられることになるが、これら各液量については、洗車コースに応じて異なるようにされてはいるが、洗車コースそれぞれにおける液量については、特別に調節されていなかった。
【０００４】
しかし、最近、水の節約が言われている一方で、排水中に含まれるノルマルヘキサン抽出物質などの不純物の濃度が規制されており、洗車機においても、水の節約と不純物の濃度についても対処する必要があるが、従来の洗車機では、両方に対処し得ないという問題がある。例えば、水の節約を図ろうとすると、不純物の濃度に対処することができない。
【０００５】
そこで、本発明は、水の節約と排水に含まれる不純物の濃度の両方に対処し得る洗車機を提供することを目的とする。
【課題を解決するための手段】
【０００６】
上記課題を解決するため、本発明の請求項１に係る洗車機は、車両に対して相対移動自在に設けられるとともに洗浄水を噴射し得る洗浄水噴射ノズルおよび液剤・ワックスなどの液剤を噴射し得る液剤噴射ノズルと、上記各噴射ノズルに洗浄水および液剤の希釈水を供給する水供給配管および上記液剤噴射ノズルに液剤を供給する液剤供給配管とを具備した洗車機であって、
使用する液剤の種類に応じて水の供給量を調節し得るように構成したものである。
【０００７】
また、請求項２に係る洗車機は、車両に対して相対移動自在に設けられるとともに洗浄水を噴射し得る洗浄水噴射ノズルおよび液剤・ワックスなどの液剤を噴射し得る液剤噴射ノズルと、上記各噴射ノズルに洗浄水および液剤の希釈水を供給する水供給配管および上記液剤噴射ノズルに液剤を供給する液剤供給配管とを具備した洗車機であって、
使用する液剤の種類に応じて水の供給量を調節し得る水量調節部を具備したものである。
【０００８】
また、請求項３に係る洗車機は、請求項２に記載の洗車機における水量調節部を、水供給量の増加を指示する水増量指示部と、この水増量指示部からの指示を入力して所定の水供給配管に設けられた電磁開閉弁の設定開時間を長くする開時間延長部とから構成したものである。
【０００９】
さらに、請求項４に係る洗車機は、請求項２に記載の洗車機における水量調節部を、水供給量の増加を指示する水増量指示部と、この水増量指示部からの指示を入力するとともに、非噴射状態の液剤噴射ノズルに係る水供給配管に設けられた電磁開閉弁を所定時間開く希釈水供給部とから構成したものである。
【発明の効果】
【００１０】
上記の各構成によると、液剤の種類に応じて水の供給量を調節するようにしたので、例えば洗車機において水の節約が考慮されている場合で且つ液剤に不純物が多く含まれているような場合でも、排水中の不純物の濃度を規制値以下にすることができる。
【発明を実施するための最良の形態】
【００１１】
［実施の形態］
以下、本発明の実施の形態に係る洗車機を、図１〜図３に基づき説明する。
この洗車機は、例えば給油所（所謂、ガソリンスタンド）に設けられ、その洗車機本体が走行レール上を往復走行することにより、車両の洗車を行うものである。
【００１２】
以下、洗車機を概略的に説明する。
図１に示すように、洗車機本体１は、車両Ｃを跨ぐように門型に形成されるとともに、その水平部１ａの左右両端から垂下された脚柱部１ｂの下端には、床面（地面も含む）２に設けられた走行レール３上を走行し得る走行用車輪４が設けられている。
【００１３】
また、洗車機には、車両Ｃを洗浄するために洗浄水、洗剤、撥水コート剤、ワックスなどの洗浄用液体を噴射するための液体噴射装置１１が具備されるとともに、洗車機本体１には、車両Ｃの外面をブラッシングするためのサイドブラシ６、ロッカーブラシ７およびトップブラシ８が配設され、さらに洗車機本体１側には、図示しないが、昇降自在にされて車両Ｃの上面を乾燥させるトップノズル（図示せず）と、左右方向に移動自在にされて車両Ｃの両側面を乾燥させる左右一対のサイドノズル９とが設けられている。なお、これら乾燥用ノズルには、洗車機本体２に設けられたブロワ装置１０によりエアが供給されるように構成されている。
【００１４】
次に、本発明に関わる液体噴射装置１１について詳しく説明する。
この液体噴射装置１１は、図１および図２に示すように、大きく分けて、洗浄用液体のうち、洗浄水を噴射する洗浄水噴射ノズル群１２と、洗剤・撥水コート剤・ワックスなどの液剤を噴射する液剤噴射ノズル群１３と、これら各噴射ノズル群１２，１３に洗浄水および液剤の希釈水を供給する水供給配管１４と、この水供給配管１４に水を供給する水供給装置１５と、上記液剤噴射ノズル群１３に液剤を供給する液剤供給配管１６と、洗剤・撥水コート剤・ワックスなどの各液剤をそれぞれ貯溜する複数の液剤タンク１７とから構成されている。
【００１５】
上記洗浄水噴射ノズル群１２としては、第１および第２洗浄水噴射ノズル１２Ａ，１２Ｂがあり、また液剤噴射ノズル群１３としては、第１および第２洗剤噴射ノズル１３Ａ，１３Ｂと、撥水コート剤噴射ノズル１３Ｃと、ワックス噴射ノズル１３Ｄとがある。なお、これら各ノズルは、例えば第１洗浄水噴射ノズル１２Ａ、第１洗剤噴射ノズル１３Ａ、第２洗浄水噴射ノズル１２Ｂ、撥水コート剤噴射ノズル１３Ｃ、第２洗剤噴射ノズル１３Ｂおよびワックス噴射ノズル１３Ｄの順番でもって前部から後部に亘って配置されている。
【００１６】
なお、上記各噴射ノズル群１２，１３は、正面視形状が例えばアーチ状（弓形状）に形成された支持部材（図示しないが、配管そのものであってもよい）に、複数個ずつ取り付けられている。
【００１７】
上記水供給配管１４は、水供給装置１５側の給水管（後述する）に接続された主供給管（ヘッダともいえる）２１と、この主供給管２１から分岐されるとともに途中に噴射用電磁開閉弁２３を有して各噴射ノズル（またはアーチ）１２，１３に接続された副供給管（分岐管ともいえる）２２と、液剤噴射ノズル１３が設けられた副供給管２２の途中で且つ噴射用電磁開閉弁２３より下流側に設けられたインジェクタ２４とから構成されている。
【００１８】
また、上記水供給装置１５は、地上側に設けられた水タンク３１と、この水タンク３１内に配置された水ポンプ３２と、この水ポンプ３２から吐出される洗浄水を上記水供給配管１４の主供給管２１に供給する給水管３３とから構成されている。なお、この給水管３３の途中には、洗車機本体１が移動しても差し支えないように、可撓性のもの、つまりゴムホースが用いられている。
【００１９】
さらに、上記液剤供給配管１６としては、一端部が各副供給管２２にそれぞれ設けられたインジェクタ２４の吸引口に接続されるとともに他端側が各液剤タンク１７内に開口されて当該液剤タンク１７内の液剤を所定の副供給管２２に供給し得る（導き得る）複数の液剤供給管２５により構成されている。なお、この液剤供給管２５の途中に液剤を供給する液剤ポンプが設けられる場合がある。
【００２０】
そして、この洗車機には、洗車作業を自動的に行うための制御装置が具備されている。
この制御装置は、操作パネル５にて選択された洗車コースに応じて、洗車機本体１の走行、各噴射ノズル１２，１３からの洗浄水および液剤の噴射、ブラシによるブラッシング動作、乾燥ノズルによる乾燥動作を自動的に行うものであり、またこの制御装置には、本発明の要旨である使用する液剤の種類に応じて、水の供給量を調節し得る水量調節部が具備されており、以下、この水量調節部について説明する。
【００２１】
この水量調節部は、図３に示すように、ノルマルヘキサン抽出物質などの不純物（油分）が多目に含まれている液剤（従来液剤ともいい、また不純物が含まれていないかまたは少量含まれているものを改良液剤という）を使用する場合に、当該洗車機から排出される排水中の不純物の含有量が法律による規制値以下となるように水量を増加させるもので、例えば操作パネル５に設けられて水の供給量の増加を指示する水増量ボタン（水増量指示部の一例）４１と、この水増量ボタン４１による水増量信号を入力して、副供給管２２の途中に設けられた噴射用電磁開閉弁２３の設定開時間を長くする開時間延長部４２とから構成されている。
【００２２】
つまり、この洗車機は改良液剤に対応されて水の節約が図られたもので、少なくとも、副供給管２２途中に設けられた噴射用電磁開閉弁２３での設定開時間が改良液剤に対応されている場合の通常開時間と、従来液剤に対応されている場合（通常開時間よりも長くされた場合）の延長開時間との２種類が具備されるとともに、水増量ボタン４１が押された場合には、その水増量指示を受けて噴射用電磁開閉弁２３の設定開時間が延長開時間に変更される。より具体的には、洗車コースにおける所定の作業時間（例えば、仕上げ洗浄における噴射時間）のタイマーの設定開時間が長くされる。
【００２３】
上記構成において、洗車に用いられる液剤が改良液剤である場合には、操作パネル５に設けられた水増量ボタン４１を押すことなく、希望する洗車コースにて洗車を行えばよい。
【００２４】
一方、洗車に用いられる液剤が従来液剤である場合、洗車作業開始前に、操作パネル５に設けられた水増量ボタン４１を押し、洗浄水の噴射時間を長く設定する。
そして、希望する洗車コースを選択し、操作パネル５のスタートボタンを押して洗車を開始すればよい。
【００２５】
洗車が開始されると、洗車機本体１は車両Ｃの前端から後端に向かって走行し始めるとともに、各噴射ノズル群１２，１３から洗浄水および液剤などの洗浄用液体が噴射されるとともに、各ブラシ６〜８により車両Ｃの外面がブラッシングされて洗浄が行われる。車両Ｃの洗浄が済むと、例えば洗車機本体１の走行方向が反転されて乾燥工程が開始される。
【００２６】
このように、水の節約が図られている洗車機にて洗車を行う際に、液剤の種類に応じて水量を調節するようにしているため、例えば従来液剤を使用する場合に洗浄水の噴射時間が長くされるため、不純物が多く含まれている従来液剤であっても、排水中の不純物の濃度が規制値以下となり、したがって環境の悪化を阻止することができる。言い換えれば、従来液剤を用いた場合でも、環境の改善を維持することができる。
【００２７】
ところで、上記実施の形態においては、水増量ボタンを押した場合に洗浄水の噴射時間を長くするようにしたが、例えば非噴射状態（非使用状態）における液剤噴射ノズルから水だけを、つまり希釈水だけを所定時間噴射させるようにしてもよい。
【００２８】
すなわち、図４に示すように、液剤供給管２５途中に供給用電磁開閉弁２６を設けておくとともに、液剤噴射ノズル１３のうち噴射が行われていないもの、つまり液剤が供給されていない液剤供給管２５に設けられた供給用電磁開閉弁２６を閉じるとともに、当該液剤噴射ノズル１３に係る副供給管２２の噴射用電磁開閉弁２３を所定時間（設定開時間）だけ開き、水だけを噴射する。この場合も、上述した実施の形態と同様に、排水中の不純物の濃度を規制値以下にすることができる。
【００２９】
この場合の水量調節部は、上記実施の形態とほぼ同様に、図５に示すように、例えば操作パネルに設けられて水の供給量の増加を指示する水増量ボタン（水増量指示部の一例）５１と、この水増量ボタン５１による水増量信号を入力して、供給用電磁開閉弁２６を閉じるとともに噴射用電磁開閉弁２３を所定時間だけ開く希釈水供給部（単に、水供給部ともいえる）５２とから構成されている。
【００３０】
さらに、液剤の噴射終了後に、副供給管２２内に残存している液剤を排出するために、水だけを副供給管２２に供給するようにしている洗車機において、この残存液剤排出用の水供給時間（水噴射時間ともいえる）を長くするようにしてもよい。勿論、この洗車機においては、図５に示したものと同様に、液剤供給管２５の途中には供給用電磁開閉弁２６が設けられるとともに、残存液剤排出用の水が供給される際には、当該供給用電磁開閉弁２６は閉じられる。この場合も、水の供給量が多くなるので、上述した実施の形態と同様に、排水中の不純物の濃度を規制値以下にすることができる。
【００３１】
この場合における水量調節部は、図６に示すように、例えば操作パネルに設けられて水の供給量の増加を指示する水増量ボタン（水増量指示部の一例）６１と、残存液剤排出作業時に、この水増量ボタン６１による水増量信号を入力するとともに噴射用電磁開閉弁２３をその設定開時間よりも長く開くようにする開時間延長部６２とから構成されている。
【００３２】
ところで、上述した各実施の形態においては、水増量ボタンを押すことで水増量指示を与えるように説明したが、例えば操作パネルにて、予め、水増量の要否を設定することにより（洗車機本体にセットする際に、液剤の種類が分かっているため）、選択された洗車コースにおける使用する液剤の種類に応じて自動的に水増量指示を与えるように構成してもよい。勿論、操作パネルにて水増量の要否を設定する部分（例えば、設定ボタン、設定スイッチなど）が水増量指示部となる。
【００３３】
また、洗車機本体を車両に対して走行させるように説明したが、逆に、車両を洗車機本体を対して走行させるようにしてもよい（つまり、洗車機本体と車両とは相対移動自在に設けられていればよい）。
【図面の簡単な説明】
【００３４】
【図１】本発明の実施の形態に係る洗車機の概略構成を示す全体側面図である。
【図２】同洗車機の液体噴射装置の配管系統図である。
【図３】同液体噴射装置における水量調節部の概略構成を示すブロック図である。
【図４】本発明の他の実施の形態に係る洗車機の液体噴射装置の配管系統図である。
【図５】同他の実施の形態に係る液体噴射装置における水量調節部の概略構成を示すブロック図である。
【図６】本発明のさらに他の実施の形態に係る液体噴射装置における水量調節部の概略構成を示すブロック図である。
【符号の説明】
【００３５】
１      洗車機本体
５      操作パネル
１１      液体噴射装置
１２      洗浄水噴射ノズル（群）
１３      液剤噴射ノズル（群）
１４      水供給配管
１５      水供給装置
１６      液剤供給配管
１７      液剤タンク
２１      主供給管
２２      副供給管
２３      噴射用電磁開閉弁
２４      インジェクタ
２５      液剤供給管
２６      供給用電磁開閉弁
３１      水タンク
３２      水ポンプ
３３      給水管
４１      水増量ボタン
４２      開時間延長部
５１      水増量ボタン
５２      希釈水供給部
６１      水増量ボタン
６２      開時間延長部
【図１】
0004788691.tif 000002
【図２】
0004788691.tif 000003
【図３】
0004788691.tif 000004
【図４】
0004788691.tif 000005
【図５】
0004788691.tif 000006
【図６】
0004788691.tif 000007